(57)【特許請求の範囲】
【請求項１】
液晶オーバードライブ精度の調整装置であり、液晶ディスプレイパネルに応用され、
受信した表示するフレーム内の一つのピクセルの現有グレイスケール値を適当なドライブ電圧に転換するガンマ値対照表と、
該ガンマ値対照表から該現有グレイスケール値を受信してメモリーに保存して既に表示されたフレーム内の対応するピクセルの前のグレイスケール値として定義するメモリー制御装置と、
該メモリー制御装置と該ガンマ値対照表とに電気的に接続され、且つ複数個の現有グレイスケール値と複数個の前のグレイスケール値を複数個のオーバードライブのグレイスケール値に相互に対応させたビルトインされた対照表を含み、液晶ディスプレイパネルを駆動するために、該表示するフレーム内の一つのピクセルの該現有グレイスケール値及び前の表示フレームの対応するピクセルの該前のグレイスケール値により、対応するオーバードライブのグレイスケール値を該ビルトインされた対照表から見つけ出す、オーバードライブモジュールと、
該ガンマ値対照表、該メモリー制御装置と電気的に接続され、複数の調整資料を包含し、各調整資料は該ビルトインされた対照表中の初期のグレースケール値を一列ずつ逐一調整後のグレースケール値に対応させ、該ビルトインされた対照表に保存された該オーバードライブグレースケール値の数量を増加せずに、これら調整資料により、該ビルトインされた対照表中のこれら現有のグレースケール値間の間隔を調整する可調整ガンマモジュールと、
を包含することを特徴とする、液晶オーバードライブ精度の調整装置。
【発明の詳細な説明】
【技術分野】
【０００１】
本発明は一種の液晶ディスプレイのオーバードライブ装置であり、特に、液晶反応速度の改善及び、映像品質の増強を実現するオーバードライブ精度の調整装置を指している。
【背景技術】
【０００２】
図１〜図２を参照してください。第１〜２図は周知のドライブ方法の概略図である。図１のように、従来のドライブ方法では、グレイスケール値が時間t0においてｇ0値からｇ1値に切り替える時に、対応するピクセル輝度はＹ0からＹ1に変わる。しかしながら、ピクセル輝度がＹ0からＹ1に変わるための時間は長くかかるので、一つのピクセル周期においてもピクセル輝度は予期のＹ1値になれない。
【０００３】
図３のように、この問題を解決するために、オーバードライブ（Ｏｖｅｒｄｒｉｖｅ）を主張する者がいた。これで一つのピクセル周期において、ピクセル輝度は予期のＹ1値に達せられる。この中で、オーバードライブが必要とするオーバードライブのグレイスケール値（ｇ1’）は前のグレイスケール値（ｇ0）と現有のグレイスケール値（ｇ1）と係わる。
【０００４】
図３〜図５を参照してください。図３〜図５は従来のオーバードライブ装置の概略図である。図３のように、周知のオーバードライブ装置はガンマ値対照表１０、メモリー制御装置１２、メモリー１４、オーバードライブモジュール１６を含めており、しかもオーバードライブモジュール１６の処理により、図２が示すオーバードライブを実現する。３ガンマ値対照表１０ （又はガンマカーブｇａｍｍａ  ｃｕｒｖｅ）は受信したグレイスケール値を適当のオーバードライブ電圧に変換し、メモリー制御装置１２は３ガンマ値対照表１０からピクセル値を受信してメモリー１４に保存する。オーバードライブ１６はガンマ値対照表１０、メモリー制御装置１２のそれぞれから現有のグレイスケール値（ｇ1）、前のグレイスケール値（ｇ0）を受信した後に、内蔵の対照表１８（Ｌｏｏｋ−ｕｐｔａｂｌｅ）を調べ、対応するオーバードライブのグレイスケール値（ｇ1’）を見つけて液晶ディスプレイパネルに入力する。
【０００５】
図４では、対照表１８は複数の現有のグレイスケール値、複数の前のグレイスケール値が互いに対応する複数のオーバードライブのグレイスケール値を含めている。２５６のグレイスケール値を例に取れば、対照表１８は２５６×２５６個のオーバードライブのグレイスケール値を保存する。ただ、一般の応用では、保存コストを下げるために、対照表１８が含むオーバードライブのグレイスケール値は大体２１×２１個しかない。言い換えると、グレイスケール値０、４、８、１２….の複数個の現有グレイスケール値、複数個の前のグレイスケール値が対応するオーバードライブのグレイスケール値だけを含んでいることである。もし、２１の現有グレイスケール値、６個の前のグレイスケール値を調べる必要があれば、図５のように、内挿法の運算により結果が得られる。
【０００６】
だが、オーバードライブのグレイスケール値（ｇ1’）はもともと、実際測定から得られた数値であり、方程式から得られた数値ではない。前述の内挿法の運算によるものであれば、精度に欠けている問題がある。
【発明の開示】
【発明が解決しようとする課題】
【０００７】
本発明の主要目的は、一種のオーバードライブ精度の調整装置を提供し、特に、液晶ディスプレイパネルの物理特性（特に、常に必要とされるオーバードライブのグレイスケール値に対して）を基に、対照表が保存するオーバードライブのグレイスケール値の数量を増やさないままに、対照表内の複数の現有グレイスケール値又は／及び複数の前のグレイスケール値の距離を調整することにより、対照表の有限の保存容量を効率よく応用してオーバードライブの精度を向上させることにある。
【０００８】
前述の目的に基づき、本発明のオーバードライブ精度の調整装置には、３ガンマ値対照表、メモリー制御装置、オーバードライブ（Ｏｖｅｒｄｒｉｖｅ）モジュール、３ガンマ値対照表及びメモリー制御装置やオーバードライブ（Ｏｖｅｒｄｒｉｖｅ）モジュールへ電気的に接続できる可調整ガンマモジュールが含まれている。３ガンマ値対照表はガンマカーブ（Ｇａｍｍａ  ｃｕｒｖｅ）を利用することにより、受信した表示するフレーム内の一つのピクセルの現有グレイスケール値を適当なドライブ電圧に変える。メモリー制御装置は３ガンマ値対照表から該現有グレイスケール値を受信し、そして、メモリーに保存して前のグレイスケール値として定義する。オーバードライブ（Ｏｖｅｒｄｒｉｖｅ）モジュールは該メモリー制御装置、該３ガンマ値対照表へ電気的に接続され、複数個の現有グレイスケール値、複数個の前のグレイスケール値に複数個のオーバードライブのグレイスケール値を対応させた対照表（Ｌｏｏｋ−ｕｐ ｔａｂｌｅ）を包含する。そして、表示するフレームの一つのピクセルの該現有グレースケール値、及び前の表示フレーム中の対応するピクセルの、該前のグレイスケール値により、該対照表から対応する該オーバードライブのグレイスケール値を見つけ出して液晶ディスプレイパネルに入力する。可調整ガンマモジュールはそれぞれ３ガンマ値対照表、メモリー制御装置に電気的に接続され、しかも、複数の調整資料を包含する。各該調整資料は、該対照表内の初期グレイスケール値の列を逐次調整後のグレイスケール値の列に対応させ、そして、該対照表が保存するオーバードライブのグレイスケール値の数量を増やさない前提において、それらの調整資料を利用して該対照表内におけるこれら現有グレイスケール値間の間隔を調整する。
【課題を解決するための手段】
【０００９】
請求項１の発明は、液晶オーバードライブ精度の調整装置であり、液晶ディスプレイパネルに応用され、
受信した表示するフレーム内の一つのピクセルの現有グレイスケール値を適当なドライブ電圧に転換するガンマ値対照表と、
該ガンマ値対照表から該現有グレイスケール値を受信してメモリーに保存して既に表示されたフレーム内の対応するピクセルの前のグレイスケール値として定義するメモリー制御装置と、
該メモリー制御装置と該ガンマ値対照表とに電気的に接続され、且つ複数個の現有グレイスケール値と複数個の前のグレイスケール値を複数個のオーバードライブのグレイスケール値に相互に対応させたビルトインされた対照表を含み、液晶ディスプレイパネルを駆動するために、該表示するフレーム内の一つのピクセルの該現有グレイスケール値及び前の表示フレームの対応するピクセルの該前のグレイスケール値により、対応するオーバードライブのグレイスケール値を該ビルトインされた対照表から見つけ出す、オーバードライブモジュールと、
該ガンマ値対照表、該メモリー制御装置と電気的に接続され、複数の調整資料を包含し、各調整資料は該ビルトインされた対照表中の初期のグレースケール値を一列ずつ逐一調整後のグレースケール値に対応させ、該ビルトインされた対照表に保存された該オーバードライブグレースケール値の数量を増加せずに、これら調整資料により、該ビルトインされた対照表中のこれら現有のグレースケール値間の間隔を調整する可調整ガンマモジュールと、
を包含することを特徴とする、液晶オーバードライブ精度の調整装置としている。
【発明の効果】
【００１０】
本発明は一種のオーバードライブ精度の調整装置を提供し、特に、液晶ディスプレイパネルの物理特性（特に、常に必要とされるオーバードライブのグレイスケール値に対して）を基に、対照表が保存するオーバードライブのグレイスケール値の数量を増やさないままに、対照表内の複数の現有グレイスケール値又は／及び複数の前のグレイスケール値の距離を調整することにより、対照表の有限の保存容量を効率よく応用してオーバードライブの精度を向上させることにある。
【発明を実施するための最良の形態】
【００１１】
本発明のオーバードライブ精度の調整においては従来の通りに、対照表（Ｌｏｏｋ−ｕｐｔａｂｌｅ）を利用してオーバードライブ（Ｏｖｅｒｄｒｉｖｅ）のグレイスケール値を獲得している。対照表は複数個の現有グレイスケール値、複数個の前のグレイスケール値が互いに対応する複数個のオーバードライブのグレイスケール値を含めている。オーバードライブを執行する必要があれば、表示するフレームにおける一つのピクセルの現有グレイスケール値、及び前の表示フレーム内において対応するピクセルの前のグレイスケール値を基に、対照表から対応するオーバードライブのグレイスケール値を見つけ出せばよい。
【００１２】
ただ、対照表が保存するオーバードライブのグレイスケール値の数量を増やすことなく、対照表内に限られた保存容量を効率よく応用するために、そして、オーバードライブの精確性を上げるように、内挿法の運用に頼らずにオーバードライブのグレイスケール値を計算するために、本発明のオーバードライブ精度の調整方法及び装置は特に、液晶ディスプレイパネルの物理特性（特に、常に必要とされるオーバードライブのグレイスケール値に対して）に基づき、対照表内の複数個の現有グレイスケール値又は／及び複数個の前のグレイスケール値間の間隔を調整することにより、対照表の限られた保存容量を効率よく応用し、そして、オーバードライブの精確性を上げている。以下は二つの実施例で対照表内の複数の現有グレイスケール値又は／及び複数個の前のグレイスケール値間の間隔を如何に調整するかについて説明している。
【００１３】
図６〜図８を参照してください。図６〜図８は本発明のオーバードライブ精度の調整装置に関する第一実施例の概略図である。図６のように、本発明のオーバードライブ装置は３ガンマ値対照表１０、メモリー制御装置１２、メモリー１４、オーバードライブモジュール１６を包含し、さらに、可調整ガンマモジュール２０も包含する。可調整ガンマモジュール２０は３ガンマ値対照表１０とメモリー制御装置１２にそれぞれに電気的に接続している。
【００１４】
表示するフレームの一つのピクセルの現有グレイスケール値を受信すると、３ガンマ値対照表１０やガンマカーブ（Ｇａｍｍａ  ｃｕｒｖｅ）を利用して適当なドライブ電圧に変換することができる。そして、３ガンマ値対照表１０から可調整ガンマモジュール２０を介して現有グレイスケール値をメモリー制御装置１２へ伝送する時に、メモリー制御装置１２が受信した現有グレイスケール値はメモリー１４に保存され、前のグレイスケール値と定義される。従来の技術のように、オーバードライブ（Ｏｖｅｒｄｒｉｖｅ）モジュール１６もまた、メモリー制御装置１２、３ガンマ値対照表１０に電気的に接続されるほか、前述の対照表を含めている。オーバードライブモジュール１６は表示するフレームの一つのピクセルの現有グレイスケール値及び、前の表示フレーム内の対応するピクセルの前のグレイスケール値により、対照表から対応するオーバードライブのグレイスケール値を見つけ出して液晶ディスプレイパネルに入力する。
【００１５】
オーバードライブの精確性を上げるには、可調整ガンマモジュール２０は第７図に示されている複数の調整資料を包含する。それぞれの調整資料は対照表１８、２２ａ内の初期のグレイスケール値の列を逐一、調整後のグレイスケール値に対応させる。こうすれば、可調整ガンマモジュール２０は対照表２２ａに保存されたオーバードライブのグレイスケール値の総数を増やさないままで、それらの調整資料を利用して対照表１８における該当の現有グレイスケール値間の間隔を調整することができる。しかも、対応するオーバードライブのグレイスケール値を対応する欄に書き入れることができる。
【００１６】
具体的に、実験結果によると、特定の液晶ディスプレイパネルが高、低グレイスケール値がある時は、常に必要のオーバードライブのグレイスケール値を調べなければならない。精確性の低い内挿法による運算で得られるこれらのオーバードライブのグレイスケール値を減らすには、高、低グレイスケール値の現有グレイスケール値の距離密度をわざと高くする。すなわち、最小の０、４、８、１２….から０、２、４、６、８、１０、１２….に調整する。これで、図８が示す現有グレイスケール値（ｇ1）、オーバードライブのグレイスケール値（ｇ1’）の対応図を構成する。注意すべきなのは、調整後のグレイスケール値列や初期のグレイスケール値列の距離は必ず特定のモデルになっていないこと。主には、実際の需要に応じて調整を行うこと。
【００１７】
図９〜図１０を参照してください。図９〜図１０は本発明のオーバードライブ精度の調整装置に関する第二実施例の概略図である。図９のように、本発明のドライブ装置は同様に、３ガンマ値対照表１０、メモリー制御装置１２、メモリー１４、オーバードライブモジュール１６を含めている上に、可調整ガンマモジュール２０をも含めている。可調整ガンマモジュール２０は３ガンマ値対照表１０、オーバードライブモジュール１６とそれぞれに電気的に接続している。
【００１８】
図１０のように、第二実施例では、可調整ガンマモジュール２０はそれらの調整資料（初期グレイスケール値の列と逐次に利用して対応しながら、調整後のグレイスケール値の列に表示する）を利用することにより、対照表１８内の該当の前のグレイスケール値の距離を調整して対照表２２ｂを構成している。
【００１９】
他にも、本発明の液晶オーバードライブ精度の調整は、可調整ガンマモジュール２０でガンマ値対照表１０内の現有グレイスケール値及び／又は前のグレイスケール値の距離密度を調整するのができる以外に、直接に液晶ディスプレイパネルの物理特性に基づき、表示するフレームの一つのピクセルの現有グレイスケール値、及び前の表示フレーム内の対応するピクセルの前のグレイスケール値に従い、初期の対照表１８ （Ｌｏｏｋ−ｕｐ ｔａｂｌｅ）における現有グレイスケール値及び／又は前のグレイスケール値の間の間隔を動的に調整して液晶ディスプレイパネルに入力することができる。言い換えれば、LUTを通して動的に調整するか、計算式で調整するかのどちらでも本発明の精神に従うものである。
【図面の簡単な説明】
【００２０】
【図１】周知のドライブ方法の概略図である。
【図２】周知のドライブ方法の概略図である。
【図３】周知のドライブ装置の概略図である。
【図４】周知のドライブ装置の概略図である。
【図５】周知のドライブ装置の概略図である。
【図６】本発明のオーバードライブ精度の調整装置に関する第一実施例の概略図である。
【図７】本発明のオーバードライブ精度の調整装置に関する第一実施例の概略図である。
【図８】本発明のオーバードライブ精度の調整装置に関する第一実施例の概略図である。
【図９】本発明のオーバードライブ精度の調整装置に関する第二実施例の概略図である。
【図１０】本発明のオーバードライブ精度の調整装置に関する第二実施例の概略図である。
【符号の説明】
【００２１】
１０    ガンマ値対照表
１２    メモリー制御装置
１４、１５    メモリー
１６    オーバードライブモジュール
１８、２２ａ、２２ｂ    対照表
２０    可調整ガンマモジュール
【図１】
0005184790.tif 000002
【図２】
0005184790.tif 000003
【図３】
0005184790.tif 000004
【図４】
0005184790.tif 000005
【図５】
0005184790.tif 000006
【図６】
0005184790.tif 000007
【図７】
0005184790.tif 000008
【図８】
0005184790.tif 000009
【図９】
0005184790.tif 000010
【図１０】
0005184790.tif 000011